(57)【要約】【課題】解決しようとする課題は、自動車のエンジン吸気音を熱可塑性樹脂のブロー成形によって形成される自動車用吸気管に付属するレゾネータの共鳴箱内で共鳴させることによって音響エネルギーを減衰させるためには、該自動車用吸気管に付属する該レゾネータを欠かすことができないという点である。また、弾性突起シートと不織布の貼着物を吸気管に内設して吸音を図るという技術の課題は弾性突起シートと不織布の貼着物を後付けするという工程を要するため高価になるという点である。また、熱可塑性樹脂のブロー成形によって形成される自動車用空調ダクトの場合はエンジンルームの振動音が該ダクトの外壁を透過し、該ダクトを通じて透過音が車室に伝わることが問題になっていた。【解決手段】吸気管あるいは空調ダクトの少なくとも1箇所の開口部の近傍の平行部の内壁に吸音材を貼付することにより前記課題を解決した。【選択図】図５
2011021592.tif 000002
【特許請求の範囲】
【請求項１】
熱可塑性樹脂のブロー成形によって形成される通気管であって、少なくとも1箇所の開口部の近傍の少なくとも1箇所の平行部の内壁に吸音材が貼付されていることを特徴とする通気管
【請求項２】
請求項１における平行部を少なくとも２箇所有し、該少なくとも２箇所の平行部の軸線は同一直線上に位置し、該平行部どうしの中間に空隙部が設けられ、該空隙部においては内壁に上記吸音材が付着していないことを特徴とする請求項１記載の通気管
【請求項３】
請求項２における空隙部の、吸音材が付着していない内壁部分を形成する樹脂が除去されていることを特徴とする請求項２記載の通気管
【請求項４】
請求項３において、阿弥陀籤状に桟を残すように内壁部分を形成する樹脂が除去されていることを特徴とする請求項３記載の通気管
【請求項５】
熱可塑性樹脂のブロー成形によって形成される通気管の製造方法であって、分割金型内に該分割金型とは独立して作動するようにセットされたスライドコアに吸音材を被せ、次いで該吸音材付き該スライドコアを内包するようにパリソンを垂下させて該分割金型を型締めし、該パリソン内に圧縮空気を吹き込んで賦形したのち該パリソン及び該吸音材から該スライドコアを抜去して該分割金型を開き、該パリソンを離型することを特徴とする通気管の製造方法
【発明の詳細な説明】
【技術分野】
【０００１】
本発明は、吸音機能を有する通気管及びその製造方法に関する。
【背景技術】
【０００２】
吸音機能を有する通気管に関する従来技術としては特許文献１に開示されているようなものがある。
【０００３】
しかし特許文献１に開示されているような方法では、ダクト（ここでは吸気管を意味する）とレゾネータの結合作業を不要にできるものの、レゾネータそのものを省略できないという欠点があった。
【０００４】
以下、図によって説明する。図１は熱可塑性樹脂のブロー成形によって形成される従来のレゾネータ付き自動車用吸気管１の斜視図である。２，３はレゾネータ、１１，１２は開口部である。
【０００５】
即ち、自動車のエンジン吸気音を該レゾネータ２，３の共鳴箱内で共鳴させることによって音響エネルギーを減衰させるためには該吸気管１に付属する該レゾネータ２，３を欠かすことができなかった。
【０００６】
また、特許文献２には弾性突起シートと不織布の貼着物を吸気管に内設して吸音を図るという技術が開示されているが、弾性突起シートと不織布の貼着物を後付けするという工程を要するため高価になるという欠点があった。
【先行技術文献】
【特許文献】
【０００７】
【特許文献１】特開平７−２１７５１１号公報
【特許文献２】特開２００９−４７１４０号公報
【非特許文献】
【０００８】
【非特許文献１】大辞泉（小学館）
【発明の概要】
【発明が解決しようとする課題】
【０００９】
解決しようとする課題は、自動車のエンジン吸気音を熱可塑性樹脂のブロー成形によって形成される自動車用吸気管に付属するレゾネータの共鳴箱内で共鳴させることによって音響エネルギーを減衰させるためには、該自動車用吸気管に付属する該レゾネータを欠かすことができないという点である。
【００１０】
また、弾性突起シートと不織布の貼着物を吸気管に内設して吸音を図るという技術の課題は弾性突起シートと不織布の貼着物を後付けするという工程を要するため高価になるという点である。
【００１１】
本発明は上記の点を解決するためになされた。
【課題を解決するための手段】
【００１２】
熱可塑性樹脂のブロー成形によって形成される通気管であって、少なくとも1箇所の開口部の近傍の少なくとも1箇所の平行部の内壁に吸音材が貼付されていることを最も主要な特徴とする。
【００１３】
また、上記平行部を少なくとも２箇所有し、該少なくとも２箇所の平行部の軸線は同一直線上に位置し、該平行部どうしの中間に空隙部が設けられ、該空隙部においては内壁に上記吸音材が付着していないことを第２の主要な特徴とする。
【００１４】
また、上記空隙部の吸音材が付着していない内壁部分を形成する樹脂が除去されていることを第３の主要な特徴とする。
【００１５】
また、阿弥陀籤状に桟を残すように内壁部分を形成する樹脂が除去されていることを第４の主要な特徴とする。
【００１６】
また、熱可塑性樹脂のブロー成形によって形成される通気管の製造方法であって、分割金型内に該分割金型とは独立して作動するようにセットされたスライドコアに吸音材を被せ、次いで該吸音材付き該スライドコアを内包するようにパリソンを垂下させて該分割金型を型締めし、該パリソン内に圧縮空気を吹き込んで賦形したのち該パリソン及び該吸音材から該スライドコアを抜去して該分割金型を開き、該パリソンを離型することを第５の主要な特徴とする。
【発明の効果】
【００１７】
本発明を自動車用吸気管に適用すればレゾネータや、弾性突起シートと不織布の貼着物を吸気管に設定せずに吸音効果をもたせることができるという効果がある。
【００１８】
また、本発明を自動車用空調ダクトに適用すれば、エンジンルームの振動音が該ダクトの外壁を透過し、該ダクトを通じて透過音が車室に伝わることや、空調ユニットの運転音が該ダクトを伝わって車室に響くことを防ぐことができるという効果もある。
【図面の簡単な説明】
【００１９】
【図１】従来のレゾネータ付き自動車用吸気管の斜視図
【図２】本発明に係る自動車用吸気管の斜視図
【図３】本発明に係るスライドコアの部分縦断面図
【図４】本発明に係るスライドコアと吸音材とパリソンの部分縦断面図
【図５】本発明に係るスライドコアと吸音材とパリソンの部分縦断面図
【図６】本発明に係る吸音材付き自動車用吸気管の部分縦断面図
【図７】本発明に係るスライドコアと吸音材とパリソンの部分縦断面図
【図８】本発明に係る吸音材付き自動車用吸気管の部分縦断面図
【図９】本発明に係る吸音材付き自動車用吸気管の部分縦断面図
【図１０】本発明に係る自動車用吸気管の斜視図
【発明を実施するための形態】
【００２０】
熱可塑性樹脂のブロー成形によって形成される通気管に吸音効果をもたせるという目的を、該通気管の少なくとも1箇所の開口部の近傍の平行部の内壁に吸音材を貼付することによって、レゾネータや弾性突起シートと不織布の貼着物を設定することなく実現した。
【実施例１】
【００２１】
本発明の構成を発明の実施の形態に基づいて説明すると次の通りである。尚、従来例と同一の符号は同一の部材を表す。
【００２２】
図２は、本発明の第１の実施例を示す熱可塑性樹脂のブロー成形によって形成される自動車用吸気管１の斜視図である。１１，１２は開口部であり、該吸気管１には従来例のようなレゾネータが無い代わりに、該開口部１２の近傍の平行部分には膨出部２０が設けられている。
【００２３】
尚、該自動車用吸気管１に適用される該熱可塑性樹脂としてはポリプロピレン、ポリエチレンや他のポリオレフィン系樹脂、ポリエチレンテレフタレートやポリブチレンテレフタレート、ポリエチレンナフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、ブロー成形が可能な樹脂であれば何でも良い。
【００２４】
図３は分割金型（図示せず）内に該分割金型とは独立して作動するようにセットされ、円形断面を有するスライドコア２１の部分縦断面図である。２２は該開口部１２の近傍の該膨出部２０の平行部分に挿入されるべき平行部であり、そのように位置づけされている。以下、図４ないし図９も図３と同じ断面位置を表す部分縦断面図である。
【００２５】
次に本発明の作用、工程を説明する。先ず、該スライドコア２１の該平行部２２に被せるように吸音材２３を外挿する。この作業は手作業でも自動機によってもどちらでもよい。
【００２６】
該吸音材２３の材料としては織布、不織布、編物やペットフェルト等、吸音機能を有するものであれば何でもよい。
【００２７】
また、該吸音材２３に適用される原料繊維としてはポリエステル、アクリル、ビニロン、ポリアミド、レーヨン、アセテート、綿、麻、絹、羊毛等の化学繊維、天然繊維等、繊維であれば何でも良い。
【００２８】
次いで該吸音材２３付き該スライドコア２１を内包するようにパリソン３０を垂下させるが、この状態を図４に示す。
【００２９】
次いで該分割金型を型締めし、該パリソン３０内に圧縮空気を吹き込んで賦形した状態を図５に示す。この工程により、該パリソン３０の平行部２２’即ち該膨出部２０の内壁に該吸音材２３がしっかりと付着する。尚、図５ないし図９では分かりやすくするために捨袋や成形バリを省略して表示している。
【００３０】
そののち該分割金型から該スライドコア２１を抜去するが、このとき該スライドコア２１は該吸音材２３からも抜去され、該吸音材２３は該パリソン３０の内壁にしっかりと付着したまま、該パリソン３０内に残留する。
【００３１】
その後該分割金型を開き、該パリソン３０を離型した状態を図６に示す。該開口部１２の近傍の該平行部２２’の内壁に該吸音材２３がしっかりと付着している。
【００３２】
以上の工程によって製造された該吸気管１は、少なくとも1箇所の開口部の近傍の平行部の内壁に該吸音材２３が貼付されているため、該吸気管１を自動車に取り付け、エンジンを始動させるとエンジン吸気音が該吸気管１を伝わって来るが、該膨出部２０即ち該平行部２２’の内側の該吸音材２３が上記吸気音を吸収するので該吸気管１の外部に漏れる音は非常に小さくなる。
【００３３】
以上実施例１に述べたように本発明を自動車用吸気管に適用すればレゾネータや、弾性突起シートと不織布の貼着物を吸気管に設定せずに吸音効果をもたせることができるという効果がある。
【実施例２】
【００３４】
図７は第２の実施例を示す図５と同様の部分縦断面図である。２箇所の平行部２２’，２２’を有し、該平行部２２’，２２’ の軸線は同一直線（図示せず）上に位置し、該平行部２２’，２２’どうしの中間に空隙部４０が該スライドコア２１の円形断面と同心円状に設けられている。
【００３５】
該空隙部４０においては該吸音材２３は該パリソン３０とは付着しないため、該パリソン３０が離型されて該吸気管１として完成されても該空隙部４０は空隙としてそのまま残り、そのため該吸音材２３は該空隙部４０の存在によって自由振動できるので該吸音材２３の吸音効果をさらに発揮させ得ることが可能となる。
【００３６】
尚、該吸音材２３の剛性を加減して所望の吸音周波数特性を得るために該吸音材２３に補強材（図示せず）を設定してもよい。
【００３７】
該補強材としては、パイプ状の樹脂メッシュ板を該吸音材２３にインサート成形してもよいし、補強用の樹脂皮膜で該吸音材２３を被覆してもよい。
【実施例３】
【００３８】
第３の実施例として、図７に示した実施例２における該吸気管１の、該吸音材２３が付着していない内壁部分を形成する樹脂を除去したものを図８に示す。４１は該樹脂を除去するためのカットラインである。これにより該吸音材２３は大気中に曝されるから完全な自由振動が可能となり、該吸音材２３の低音域の吸音特性が格段に向上する。
【００３９】
図８においては大気中に曝される該吸音材２３は他に支えを有さないため剛性が低く、変形し易いので、いわゆる阿弥陀籤状に桟４５を残すように該樹脂を除去した構造の吸気管１を図９に示す。
【００４０】
ここで言う「阿弥陀籤」とは「出費する人数に合わせて引いた平行線の一端に異なる金額を書いて隠しておき、各自が引き当てた金額を出し合う仕組みのくじ。今日では平行線の間に横線を入れることが多い。」として非特許文献１に記載されているようなものを意味する。
【００４１】
図１０は図９に示した該吸気管１の斜視図である。
【００４２】
以上実施例３に述べたように、大気中に曝されている該吸音材２３の自由振動部分により該吸音材２３の低音域の吸音特性が向上すると同時に、図９、図１０に示すような該桟４５を残したことで該吸音材２３の自由振動部分が複数箇所となり、剛性も格段にアップするという効果がある。
【実施例４】
【００４３】
第４の実施例として、熱可塑性樹脂のブロー成形によって形成される自動車用空調ダクトの場合にはエンジンルームの振動音が該ダクトの外壁を透過し該ダクトを通じて透過音が車室に伝わることや、空調ユニットの運転音が該ダクトを伝わって車室に響くことが問題になっているが、該ダクトの少なくとも1箇所の開口部の近傍の平行部の内壁に吸音材を貼付すれば上記透過音を吸収することができる。
【００４４】
以上実施例４に述べたように本発明を自動車用空調ダクトに適用すれば、エンジンルームの振動音が該ダクトの外壁を透過し、該ダクトを通じて透過音が車室に伝わることや、空調ユニットの運転音が該ダクトを伝わって車室に響くことを防ぐことができるという効果もある。
【産業上の利用可能性】
【００４５】
上記各実施例では熱可塑性樹脂のブロー成形によって形成される自動車用吸気管や、自動車用空調ダクトを例にあげて説明したが、本発明はこれに限るものではなく、音源に通じる、または音源近傍を通る自動車用またはそれ以外の一般の通気管に利用可能である。
【符号の説明】
【００４６】
１    吸気管
２，３    レゾネータ
１１，１２    開口部
２０    膨出部
２１    スライドコア
２２，２２’    平行部
２３    吸音材
３０    パリソン
４０    空隙部
４１    カットライン
４５    桟
【図１】
2011021592.tif 000003
【図２】
2011021592.tif 000004
【図３】
2011021592.tif 000005
【図４】
2011021592.tif 000006
【図５】
2011021592.tif 000007
【図６】
2011021592.tif 000008
【図７】
2011021592.tif 000009
【図８】
2011021592.tif 000010
【図９】
2011021592.tif 000011
【図１０】
2011021592.tif 000012